(57)【要約】【課題】マグネット付き手袋の汚れ除去【解決手段】  ここで提案されるマグネット付き手袋１０は、少なくとも手の甲を覆う甲部を有する手袋本体１２と、甲部の外側面に設けられたマグネット装着部１４と、プレート状のマグネット１６とを備えている。ここでマグネット１６は、マグネット装着部１４に取り外し可能に装着されている。【選択図】図１
2018003198.tif 000002
【特許請求の範囲】
【請求項１】
少なくとも手の甲を覆う甲部を有する手袋本体と、
前記甲部の外側面に設けられたマグネット装着部と、
前記マグネット装着部に取り付けられたプレート状のマグネットと
を備え、
前記マグネットが、前記マグネット装着部に取り外し可能に装着された、
マグネット付き手袋。
【請求項２】
少なくとも手の甲を覆う甲部を有する手袋本体と、
前記甲部の外側面に設けられたマグネット装着部と、
前記マグネット装着部に取り付けられたプレート状のマグネットと
を備え、
前記マグネット装着部は、
前記甲部に取り付けられた台座と、
前記台座の上に配置された保持部材と
を備え、
前記保持部材は、
エラストマからなり、
前記マグネットの周縁部を覆うように延び、かつ、前記マグネットの周縁部に対して少なくとも一部において途切れた縁部と、
前記縁部の途切れた部位の両側に架け渡されたブリッジと
を備え、
前記台座と前記縁部の間に前記マグネットの周縁部が嵌まる溝が形成され、かつ、
前記縁部が途切れた部位にマグネット取出口が形成されている、
マグネット付き手袋。
【請求項３】
前記縁部の外側面は、前記縁部で周縁部が囲まれ、前記マグネットが露出した部位に向けて徐々に前記マグネットに近づくように傾斜している、請求項２に記載されたマグネット付き手袋。
【請求項４】
前記マグネットを覆うカバーを備えている、請求項１から３までの何れか一項に記載されたマグネット付き手袋。
【請求項５】
前記カバーは、前記マグネットを覆う部位の一端が前記手袋本体側に取り付けられており、かつ、前記マグネットを覆う部位の他端が前記手袋本体側に着脱自在に取り付けられる、請求項４に記載されたマグネット付き手袋。
【発明の詳細な説明】
【技術分野】
【０００１】
マグネット付き手袋に関する。
【背景技術】
【０００２】
マグネット付き手袋として、例えば、特開２００８−４号公報には、手の甲の部分にマグネットが配置された釣り用グローブが提案されている。
【先行技術文献】
【特許文献】
【０００３】
【特許文献１】特開２００８−４号公報
【発明の概要】
【発明が解決しようとする課題】
【０００４】
例えば、釣り用グローブとしての手袋は、魚に触れたり、海水に濡れたりするので、その後、汚れが付着する。このため、使用後は汚れを取り除くために洗うことが望ましい。しかしながら、マグネット付き手袋については、マグネットが取り付けられているため、マグネットの裏側など洗いにくい部分が生じる。
【課題を解決するための手段】
【０００５】
ここで提案されるマグネット付き手袋は、少なくとも手の甲を覆う甲部を有する手袋本体と、甲部の外側面に設けられたマグネット装着部と、マグネット装着部に取り付けられたプレート状のマグネットとを備えている。ここで、マグネットは、マグネット装着部に取り外し可能に装着されているとよい。かかるマグネット付き手袋によれば、適宜にマグネットを取り外すことができ、マグネットを取り外して洗うことができる。
【０００６】
例えば、マグネット装着部は、甲部に取り付けられた台座と、台座の上に配置された保持部材とを備えていてもよい。この場合、保持部材は、エラストマからなり、マグネットの周縁部を覆うように延び、かつ、マグネットの周縁部に対して少なくとも一部において途切れた縁部と、途切れた部位の両側において、縁部に架け渡されたブリッジとを備えているとよい。また、台座と縁部の間にマグネットの周縁部が嵌まる溝が形成され、かつ、縁部が途切れた部位にマグネット取出口が形成されているとよい。かかるマグネット付き手袋によれば、マグネット取出口からマグネットを取り外すことができる。そして、マグネットを取り外して洗うことができる。
【０００７】
縁部の外側面は、縁部で周縁部が囲まれ、マグネットが露出した部位に向けてマグネットに近づくように徐々に傾斜していてもよい。
【０００８】
マグネットを覆うカバーを備えていてもよい。カバーは、マグネットを覆う部位の一端が手袋本体に取り付けられており、マグネットを覆う部位の他端が手袋本体に着脱自在に取り付けられてもよい。
【図面の簡単な説明】
【０００９】
【図１】図１は、ここで提案されるマグネット付き手袋の一実施形態を模式的に示す平面図である。
【図２】図２は、マグネット付き手袋の一実施形態におけるマグネット装着部の平面図である。
【図３】図３は、図２に示されたマグネット装着部のＩＩＩ−ＩＩＩ断面である。
【発明を実施するための形態】
【００１０】
以下、ここで提案されるマグネット付き手袋の一実施形態を図面に基づいて説明する。
【００１１】
図１は、ここで提案されるマグネット付き手袋を示す平面図である。図２は、マグネット装着部の平面図である。図３は、図２に示されたマグネット装着部のＩＩＩ−ＩＩＩ断面である。ここで、図１は、マグネットが取り付けられた状態が図示されており、図２および図３はマグネットが取り外された状態が図示されている。
【００１２】
ここで提案されるマグネット付き手袋１０は、図１に示すように、手袋本体１２と、マグネット装着部１４と、プレート状のマグネット１６と、カバー１８とを備えている。
【００１３】
手袋本体１２は、少なくとも手の甲を覆う甲部１２ａを有するとよい。図１の形態では、手袋本体１２は、手の甲部１２ａ、手のひらおよび手首を覆うとともに、親指、人差し指、中指、人差し指、小指が挿入される部位を有している。人差し指および小指が挿入される部位は、指の先端までが覆われるように袋状になっている。親指、人差し指および中指は、指の第２関節付近から先が露出するように、先端部が開いている。
【００１４】
マグネット装着部１４は、甲部の外側面に設けられている。マグネット装着部１４は、台座１４ａと、保持部材１４ｂとを備えている。台座１４ａは、甲部１２ａに取り付けられている部材である。台座１４ａは、手袋本体１２に馴染むように柔らかいシート状の部材であり、手袋本体１２の甲部１２ａに接着または縫い付けられている。この実施形態では、かかる台座１４ａには、例えば、合成皮革製のシートを用いるとよい。
【００１５】
この実施形態では、マグネット１６は、略台形であり、プレート状の部材である。マグネット１６は、台形の平行な一対の辺のうち、一方の辺１６ａが他方の辺１６ｂよりも短い。短い辺１６ａと、台形の脚１６ｃ、１６ｄとの角にＲが付けられている。マグネット装着部１４の台座１４ａは、かかるマグネット１６よりも広い略台形形状を備えている。マグネット１６は、マグネット装着部１４の台座１４ａに重ねられるように配置され、マグネット装着部１４は、マグネット１６の周囲にはみ出ている。また、マグネット装着部１４は、マグネット１６の短い辺１６ａからマグネット１６の外側に長く延びている。マグネット１６は、図１に示すように、手袋本体１２の甲部１２ａに取り付けられる。このため、マグネット１６は、プレート状ではあるが、手の動きを阻害しない程度に所要の可撓性を有しているとよい。
【００１６】
保持部材１４ｂは、台座１４ａの上に配置された部材である。保持部材１４ｂは、エラストマからなり、縁部１４ｂ１と、ブリッジ１４ｂ２とを備えている。この実施形態では、保持部材１４ｂは、具体的には、所要の耐久性および耐候性を有するシリコーンゴムが採用されている。
【００１７】
縁部１４ｂ１は、マグネット１６の周縁部を覆うように延び、かつ、マグネットの周縁部に対して少なくとも一部において途切れている。この実施形態では、マグネット１６が略台形であり、縁部１４ｂ１は、マグネット１６の短い辺１６ａと、両側の脚に沿って延びている。そして、マグネット１６の短い辺１６ｂに沿った部分が途切れている。台座１４ａと縁部１４ｂ１の間には、マグネット１６の周縁部が嵌まる溝１４ｂ３が形成されている。ここで、溝１４ｂ３は、装着されたマグネット１６が脱落しないように、マグネット１６の厚さと概ね同程度の幅を有しているよい。溝１４ｂ３の幅と、マグネット１６の厚さとの差は、例えば、−０．５ｍｍ以上＋０．５ｍｍ以下であるとよい。
【００１８】
この実施形態では、図２および図３に示すように、縁部１４ｂ１の外側面は、縁部１４ｂ１で周縁部が囲まれ、マグネット１６が露出した部位に向けて徐々にマグネット１６に近づくように傾斜した傾斜面１４ｃを有している。なお、図１では、縁部１４ｂ１に重なるマグネット１６の隠れ線を図示しているので、便宜上、縁部１４ｂ１の外側面の傾斜に起因する線は図示を省略している。例えば、釣り用手袋として、このマグネット付き手袋が用いられる場合には、釣針がマグネットによって保持される。この際、かかる傾斜が設けられていることによって、釣針のような小さな部材のマグネット１６への取り付けや取り外しが容易になる。また、縁部１４ｂ１の外周縁は、外側に張り出したフランジ１４ｄが設けられている。
【００１９】
縁部１４ｂ１が途切れた部位にマグネット取出口１４ｂ４が形成されている。この実施形態では、マグネット取出口１４ｂ４は、マグネット１６の短い辺１６ａが挿入されるように所要の幅を有している。
【００２０】
ブリッジ１４ｂ２は、途切れた部位の両側において、縁部１４ｂ１に架け渡されている。この実施形態では、マグネット取出口１４ｂ４の両側、つまり、マグネット１６の両側の脚に沿って延びた縁部の先端部に、ブリッジ１４ｂ２が架け渡されている。かかるブリッジ１４ｂ２によって、縁部１４ｂ１の溝１４ｂ３が開かず、縁部１４ｂ１の溝１４ｂ３に装着されたマグネット１６が安定してマグネット装着部１４に保持される。
【００２１】
また、この実施形態では、手袋本体１２には、マグネット１６を覆うカバー１８を備えている。カバー１８は、マグネット１６を覆う部位の一端が手袋本体１２側に取り付けられている。マグネット１６を覆う部位の他端が手袋本体１２側に着脱自在に取り付けられる。この実施形態では、カバー１８は、マグネット装着部１４を覆いうる形状を備えている。そして、マグネット装着部１４のマグネット取出口１４ｂ４側の縁に応じた一辺が手袋本体１２に取り付けられている。手袋本体１２に取り付けられたカバー１８の一辺は、カバー１８が開閉する際のヒンジ１８ａとして機能する。カバー１８は、図示を省略するが、マグネット装着部１４に被さり、マグネット装着部１４を覆う状態と、マグネット装着部１４から外された状態となりうる。マグネット装着部１４から外された状態では、図１に示すように、マグネット取出口１４ｂ４側の基端として、マグネット１６が露出するように開いた状態となり得る。なお、この実施形態では、カバー１８のヒンジ１８ａは、カバー１８が手袋本体１２に取り付けられた部位に設けられているが、カバー１８のヒンジ１８ａは、手袋本体１２側に取り付けられているとよく、例えば、この実施形態では、手袋本体１２またはマグネット装着部１４の台座１４ａに取り付けられているとよい。
【００２２】
また、この実施形態では、マグネット装着部１４の台座１４ａは、台座１４ａの上に配置されたマグネット１６の短い辺１６ａから、マグネット１６の外側に長く延びた部分に、カバー１８を着脱自在に保持する着脱部２０を備えている。この実施形態では、具体的には、着脱部２０は、面ファスナーで構成されている。台座１４ａには、面ファスナーの一方の部材２０ａが取り付けられており、他方、カバー１８の裏面の対応する位置には、面ファスナーの他方の部材２０ｂが取り付けられている。かかる面ファスナーによって、カバー１８は、手袋本体１２のマグネット装着部１４を覆う状態で保持される。また、カバー１８は、マグネット装着部１４から着脱自在に取り外される。
【００２３】
かかる着脱部２０は、面ファスナーに変えたボタンでもよい。カバー１８は、マグネット１６を覆うとともに、カバー１８の先端はマグネット装着部１４の台座１４ａに着脱自在に取り付けられている。カバー１８は、マグネット装着部１４の台座１４ａよりも先まで延び、手袋本体１２に着脱自在に取り付けられてもよい。この場合、手袋本体１２に、カバー１８の着脱部に対応する着脱部が設けられているとよい。
【００２４】
かかるマグネット付き手袋１０は、マグネット取出口１４ｂ４からマグネット１６を引き出すことによって、マグネット１６を取り外すことができる。このため、マグネット１６を取り外して洗うことができる。例えば、釣り用に用いられる場合には、マグネット１６の裏側などに水が回り込み、汚れが入り込むことがある。このマグネット付き手袋１０は、マグネット１６を取り外して洗えるので、マグネット装着部１４の台座１４ａやマグネット１６の裏側も綺麗に洗うことができる。
【００２５】
また、上述した実施形態では、マグネット装着部１４の縁部１４ｂ１の外側面は、縁部１４ｂ１に囲まれたマグネット１６が露出した部位に向けて、マグネット１６に近づくように徐々に傾斜している。かかる傾斜によって、マグネット１６に取り付けられて保持された部材が小さい場合にも取り出しやすい。
【００２６】
また、マグネット１６を覆うカバー１８を備えていてもよい。この場合、マグネット１６に取り付けられて保持された部材が、不用意に脱落するのを防止できる。また、カバー１８は、マグネット１６を覆う部位の一端が手袋本体１２に取り付けられており、マグネット１６を覆う部位の他端が手袋本体１２に着脱自在に取り付けられているとよい。
【００２７】
以上、ここで提案されるマグネット付き手袋の一実施形態を説明したが、本発明は、上記の実施形態に限定されない。
マグネットを取り外して洗うことができるとの観点において、マグネットは、マグネット装着部に取り外し可能に装着されているとよく、必ずしも上述した形態に限定されない。例えば、手袋本体や、マグネット装着部およびマグネットの具体的な形状や構造は、それぞれ特に言及されない限り、上述した実施形態に限定されない。
また、上述した実施形態では、マグネット付き手袋は、釣り用の手袋として例示されているが、用途は釣り用に限定されない。例えば、電機工事などで鉄製の細かい部品を使うような用途では、手元に部品をストックできるので作業性を高めることができるとともに、手袋が汚れた場合に洗うことができる。
【符号の説明】
【００２８】
１０  マグネット付き手袋
１２  手袋本体
１２ａ  甲部
１４  マグネット装着部
１４ａ  台座
１４ｂ  保持部材
１４ｂ１  縁部
１４ｂ２  ブリッジ
１４ｂ３  溝
１４ｂ４  マグネット取出口
１４ｃ  傾斜面
１４ｄ  フランジ
１６  マグネット
１６ａ  マグネットの短い辺
１６ｂ  マグネットの長い辺
１６ｃ，１６ｄ  脚
１８  カバー
１８ａ  ヒンジ
２０  着脱部
２０ａ  面ファスナーの一方の部材
２０ｂ  面ファスナーの他方の部材
【図１】
2018003198.tif 000003
【図２】
2018003198.tif 000004
【図３】
2018003198.tif 000005